(57)【要約】【課題】  目地プレートが略水平に上方へせり上がった場合にもピンボックスから脱落しない係止部材を備える床用目地装置を提供すること。【解決手段】  左右の躯体間の目地部に設けられた床用目地装置であって、前記左右の躯体の一方の躯体に設けられた目地プレート支持部と、該目地プレート支持部に上下方向に移動可能に設けられた複数個の係止部材と、前記左右の躯体の他方の躯体に設けられた伸縮可能な支持部材と、前記目地プレート支持部に前記一方の躯体側の一端部が支持されるとともに、該一端部に前記係止部材の上端部が挿入され、前記他方の躯体側の他端部が前記支持部材に支持される目地プレートとで構成され、前記係止部材は係合部を有し、一方、前記目地プレートは、前記一端部側の両側部には前記係止部材の係合部と係合する被係合部材を有し、前記係止部材は、地震によって目地部が狭くなり、前記目地プレートが上方にせり上がった場合に、前記目地プレート支持部から抜けないことを特徴とする。【選択図】  図１
2018016962.tif 000002
【特許請求の範囲】
【請求項１】
左右の躯体間の目地部に設けられた床用目地装置であって、前記左右の躯体の一方の躯体に設けられた目地プレート支持部と、該目地プレート支持部に上下方向に移動可能に設けられた複数個の係止部材と、前記左右の躯体の他方の躯体に設けられた伸縮可能な支持部材と、前記目地プレート支持部に前記一方の躯体側の一端部が支持されるとともに、該一端部に前記係止部材の上端部が挿入され、前記他方の躯体側の他端部が前記支持部材に支持される目地プレートとで構成され、前記係止部材は係合部を有し、一方、前記目地プレートは、前記一端部側の両側部には前記係止部材の係合部と係合する被係合部材を有し、前記係止部材は、地震によって目地部が狭くなり、前記目地プレートが上方にせり上がった場合に、前記目地プレート支持部から抜けないことを特徴とする床用目地装置。
【請求項２】
前記支持部材は、四角筒形状で、前記他方の躯体に前後方向に隙間なく並列固定された多数個の筒部材と、この多数個の筒部材にそれぞれ左右方向にスライド可能に挿入された四角筒形状の支持筒と、該支持筒が一方の躯体側に突出するように付勢する付勢スプリングとでなることを特徴とする請求項１に記載の床用目地装置。
【請求項３】
前記係止部材は、略逆Ｌ字状のピンであることを特徴とする請求項１又は請求項２のいずれかに記載の床用目地装置。
【請求項４】
前記非係合部材は、ピン又は板片であることを特徴とする請求項１乃至３のいずれかに記載の床用目地装置。
【発明の詳細な説明】
【技術分野】
【０００１】
本発明は目地部を介して設けられた左右の躯体の間の目地部を塞ぐ床用目地装置に関する。
【背景技術】
【０００２】
従来、地震によって左右の躯体間の目地部が狭くなった場合に、目地プレートが上方にせり上がり、その揺れ動きを吸収する床用目地装置としては、「目地部を介して設けられた左右の床躯体の一方の床躯体の目地部側床面に形成された、反目地部側が傾斜面の目地プレートスライド支持凹部と、この目地プレートスライド支持凹部に先端部がスライド移動可能に支持され、後端部が前記左右の床躯体の他方の床躯体の目地部側に、先端部が上方へ回動でき、かつ後端部が上方へ移動できるように取付けられた目地プレートと、この目地プレートの後端部寄りの底面に設けられた、該後端部側が順次下方に位置する傾斜面の目地プレート押し上げ片と、前記一方の床躯体の目地部側に取付けられた、地震で目地部が狭くなると前記目地プレート押し上げ片と係合して、該目地プレート押し上げ片を上方へ押し上げるローラーを用いた押し上げ機構と、前記目地プレートの先端部に取付けられたカバープレートとで構成されていることを特徴とする床用目地装置。」が知られている。  
【０００３】
しかしながら、このような床用目地装置では、枢支ピンが短く、目地プレートの後端部（枢支ピン側の端部）が上方へ移動すると、ピンボックスから枢支ピンが抜けてしまうという欠点があった。
【先行技術文献】
【特許文献】
【０００４】
【特許文献１】特開２０１５−２１３６１号公報
【発明の概要】
【発明が解決しようとする課題】
【０００５】
本発明は以上のような従来の欠点に鑑み、目地プレートが略水平に上方へせり上がった場合にもピンボックスから脱落しない係止部材を備える床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の床用目地装置は、左右の躯体間の目地部に設けられた床用目地装置であって、前記左右の躯体の一方の躯体に設けられた目地プレート支持部と、該目地プレート支持部に上下方向に移動可能に設けられた複数個の係止部材と、前記左右の躯体の他方の躯体に設けられた伸縮可能な支持部材と、前記目地プレート支持部に前記一方の躯体側の一端部が支持されるとともに、該一端部に前記係止部材の上端部が挿入され、前記他方の躯体側の他端部が前記支持部材に支持される目地プレートとで構成され、前記係止部材は係合部を有し、一方、前記目地プレートは、前記一端部側の両側部には前記係止部材の係合部と係合する被係合部材を有し、前記係止部材は、地震によって目地部が狭くなり、前記目地プレートが上方にせり上がった場合に、前記目地プレート支持部から抜けないことを特徴とする。
【発明の効果】
【０００８】
以上の説明から明らかなように、本発明にあっては次に列挙する効果が得られる。
（１）請求項１に記載の発明においては、上部に係合部を備え地震によって目地部が狭くなり目地プレートが上方にせり上がった場合に、前記目地プレート支持部から脱落しない程度の長さを有する被係合部材を用いているので、目地プレートが床面と略垂直にせり上がった場合であっても被係合部材が脱落することを防止できる。
（２）請求項２に記載の発明においても前記（１）と同様な効果を得られるとともに、多数個の筒部材及び支持筒で支持部材を形成しているので、高強度の支持部材とすることができる。
（３）請求項３及び請求項４に記載の各発明においても、前記（１）、（２）と同様な効果が得られる。
【図面の簡単な説明】
【０００９】
図１乃至図８は本発明の第１の実施形態を示す説明図である。
図９乃至図１２は本発明の第２の実施形態を示す説明図である。
【図１】第１の実施形態の床用目地装置の平面図。
【図２】図１の２−２線に沿う断面図。
【図３】目地プレートの説明図。
【図４】係止部材の説明図。
【図５】支持部材の説明図。
【図６】地震で目地部が少し狭くなり、目地プレートの他端部が上方へ回動した場合の動作説明図。
【図７】地震で目地部が狭くなり、目地プレートが上方へ乗り上げた場合の動作説明図。
【図８】地震で目地部が広くなった動作説明図。
【図９】第２の実施形態の床用目地装置の平面図。
【図１０】図９の１０−１０線に沿う断面図。
【図１１】係止部材の説明図。
【図１２】支持部材の説明図。作説明図。
【発明を実施するための形態】
【００１０】
以下、図面に示す本発明を実施するための形態により、本発明を詳細に説明する。なお、本明細書では図１を基準として左右方向、前（図面上方）後（図面下方）方向という。また、図７を基準として上（図面上方）下（図面下方）方向という。
【００１１】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
図１ないし図８に示す本発明を実施するための第１の形態において、１は目地部２を介して設けられた一方の躯体３と他方の躯体４間の目地部２を塞ぐ床用目地装置である。
この床用目地装置１は、一方の躯体３に設けられた目地プレート支持部５と、該目地プレート支持部５に上下方向に移動可能に複数個設けられた係止部材６と、前記左右の躯体の他方の躯体４に設けられた支持部材７と、前記支持部材７にその一端部８ａが支持されるとともに前記係止部材６が挿入され、他端部８ｂが支持部材７に支持される目地プレート８とで構成されている。
【００１３】
前記目地プレート支持部５は、本実施の形態においては、一方の躯体に前後方向に凹所状に形成されている。この目地プレート支持部５には複数個の係止部材６を挿入する係止部材挿入孔９が形成されている。
【００１４】
この目地プレート支持部５は、本実施の形態においては、一方の躯体３に形成したが、一方の躯体３に凹所を形成せず、アングル状の金具を一方の躯体の壁面に固定して目地プレート支持部５としてもよい。
【００１５】
この支持部材７は、図５に示すように、四角筒形状で、他方の躯体４に前後方向に隙間なく並列固定された多数個の筒部材１１と、この多数個の筒部材１１にそれぞれ左右方向にスライド可能に挿入され、前記目地プレート８をの他端部を支持する四角筒形状の支持筒１２と、該支持筒１２が一方の躯体３側（外方）に突出するように付勢する付勢スプリング１３と、支持筒１２が筒部材１１から脱落しないように設けられたストッパー１４とで構成されている。このストッパー１４は本実施の形態においては、ワイヤーを用いている。
【００１６】
また、この支持部材７の支持筒１２と連続する他方の躯体４の目地部側の端部には、前記目地プレート８の他端部が乗り上げる傾斜面１０が形成されている。
なお、本実施の形態においては、支持筒１２の先端が一方の躯体３の壁面に当接しているが、支持筒１２の先端位置は左右の躯体の揺れ動き量によって適宜変更することができ、一方の躯体３に当接しなくてもよい。
【００１７】
目地プレート８の他端部８ｂは、この支持部材７の支持筒１２に左右方向にスライド可能に支持される。この筒部材１１の目地部側の端部は、他方の躯体の目地部側の壁面と略面一に位置しており、前記傾斜面１０は、この筒部材１１との目地部側の端部の位置に形成されている。
【００１８】
前記目地プレート８は、図３に示すように、平面視長方形状の浅皿状で一端部側の両端に前記係止部材６が挿入される一対のピンボックス１５を備える目地プレート本体１６と、目地プレート本体１６内へ充填されたモルタルあるいはコンクリート１７と、このモルタルあるいはコンクリート１７の上面に貼り付けられた大理石等のタイルやレンガ等の床化粧板１８と、目地プレート本体１６の他端部側にヒンジ部材１９を介して設けられたカバープレート２０と、前記ピンボックス１５にそれぞれ設けられ、前記係止部材６と係合する被係合部材２１で構成されている。
【００１９】
なお、前記ピンボックス１５の底面は開口しており、この開口から係止部材６をピンボックス１５内に挿入した後、被係合部材２１をピンボックス１５の前後方向から挿入し、被係合部材２１を係止部材の係合部２２と係合させる。
【００２０】
前記係止部材６は、図４に示すように、正面視略逆Ｌ字形状のピンで、上部の屈曲した部位は、前記目地プレート８に設けられた前記被係合部材２１と係合する係合部２２となる。このピンの下部は前記係止部材挿入孔９に挿入され、上下方向にスライド可能に前記一方の躯体３の目地プレート支持部５に取り付けられる。この係止部材６の挿入部６ａは、地震によって目地プレート８が上方にせり上がり、他方の躯体４の床面等に乗り上げた場合であっても係止部材挿入孔９から脱落しない程度の長さとなっている。
【００２１】
地震で目地部２が狭くなるように左右の躯体３、４が揺れ動くと、図６に示すように、目地プレート８の他端部８ｂが前記他方の躯体４に形成された傾斜面１０に沿って上方に乗り上げ、目地プレート８の一端部８ａは、その端部を支点に回動し、目地プレート８は斜めの状態となる。この時、係止部材６は被係合部材２１の位置変位に従い若干上方へ移動する。
【００２２】
地震で目地部２が更に狭くなるように左右の躯体３、４が揺れ動くと、図７に示すように、目地プレート８の他端部８ｂが前記他方の躯体４に形成された傾斜面１０の上部が目地プレート８の重心よりも一方の躯体３側へ移動し、目地プレート８の他端部８ｂが他方の躯体４の床面に面接触するように回動し、目地プレート８が他方の躯体４の床面と略平行となるように乗り上げて地震による揺れ動きを吸収する。
【００２３】
係止部材６は被係合部材２１の位置変位に従い上方へ移動するが、係止部材挿入孔９から脱落しない程度の長さに形成されているので、被係合部材６が脱落することはない。
【００２４】
なお、この時支持部材７は、支持筒１２が一方の躯体３の壁面に押圧され、付勢スプリング１３の付勢力に抗して筒部材１１内にスライド移動し、地震による揺れ動きを吸収する。
【００２５】
地震による揺れ動きが収まると、前記支持部材７の支持筒１２は付勢スプリング１３の付勢力によって一方の躯体側に突出するとともに、目地プレート８は元の位置に復帰する。
【００２６】
地震で目地部２が広くなるように左右の躯体３、４が揺れ動くと、図８に示すように目地プレート８が支持部材７の支持筒１２上をスライド移動して、その揺れ動きを吸収する。
なお、ストッパー１４により支持筒１２の突出量は一定の突出量で止まるため、支持筒１２は筒部材１１から脱落することはない。
【００２７】
[発明を実施するための異なる形態]
次に、図９乃至図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図９乃至図１２に示す本発明を実施するための第２の形態において、前記本発明を実施するための第１の形態と主に異なる点は、上部に被係合部材２１が挿入される透孔状の係合部２２Ａを備えた係止部材６Ａを用いるとともに、幅広の筒部材１１Ａ及び幅広の支持筒１２Ａ用いた支持部材７Ａとした点で、このような床用目地装置１Ａにしても前記本発明を実施するための第１の形態と同様な作用効果が得られる。
【００２８】
なお、本発明の実施の形態においては、目地プレートをせり上げるための傾斜面を他方の躯体に形成しているが、支持部材の筒部材の上面に目地部側の端部が傾斜面に形成した、せり上げ目地プレートを設けてもよい。この場合、筒部材及びせり上げ目地プレートは他方の躯体に固定的に設けられる。
【００２９】
また、本発明の実施の形態においては、目地プレート支持部を一方の躯体に形成したが、一方の躯体に前後方向に延伸するアングル状のレールを固定し、該レール上を前後方向にスライド移動可能に設けられた係止部材挿入孔を有する角柱状の目地プレート支持部本体を用いて目地プレート支持部としてもよい。
【００３０】
さらに、本発明の実施の形態においては、被係合部材として円柱状のピンを用いたが、板片状、角柱状のピン等であってもよい。
【産業上の利用可能性】
【００３１】
本発明は目地プレートおよび床用目地装置を製造する産業で利用される。
【符号の説明】
【００３２】
１、１Ａ：床用目地装置、          ２：目地部、
３：一方の躯体、                  ４：他方の躯体、
５：目地プレート支持部、          ６、６Ａ：係止部材、
７、７Ａ：支持部材、
８：目地プレート、                ９：係止部材挿入孔、
１０：傾斜面、                    １１、１１Ａ：筒部材、
１２、１２Ａ：支持筒、            １３：付勢スプリング、
１４：ストッパー、                １５：ピンボックス、
１６：目地プレート本体、          １７：モルタルあるいはコンクリート、
１８：床化粧板、                  １９：ヒンジ部材、
２０：カバープレート、            ２１：被係合部材、
２２、２２Ａ：係合部。
【図１】
2018016962.tif 000003
【図２】
2018016962.tif 000004
【図３】
2018016962.tif 000005
【図４】
2018016962.tif 000006
【図５】
2018016962.tif 000007
【図６】
2018016962.tif 000008
【図７】
2018016962.tif 000009
【図８】
2018016962.tif 000010
【図９】
2018016962.tif 000011
【図１０】
2018016962.tif 000012
【図１１】
2018016962.tif 000013
【図１２】
2018016962.tif 000014